(57)【特許請求の範囲】
【請求項１】
衝突に起因する荷重が入力される入力面部と、前記入力面部と前記荷重の入力方向に間隔を隔てて対向して配置される支持面部と、前記入力面部と前記支持面部との間にわたして設けられ、相互に離間して配置された複数のウェブ面部とをそれぞれ有し、前記荷重の入力方向と略直交する方向に離間して配置された第１の閉断面部及び第２の閉断面部と、
前記第１の閉断面部における前記入力面部の前記第２の閉断面部側の端部と、前記第２の閉断面部における前記入力面部の前記第１の閉断面部側の端部とを接続する入力側ブリッジ部と
を備える車両用エネルギ吸収ビームにおいて、
前記第１の閉断面部における前記第２の閉断面部と対向するウェブ面部は、前記第２の閉断面部側に向けて凸となる凸面状に形成され、
前記第２の閉断面部における前記第１の閉断面部と対向するウェブ面部は、前記第１の閉断面部側に向けて凸となる凸面状に形成されること
を特徴とする車両用エネルギ吸収ビーム。
【請求項２】
請求項１に記載の車両用エネルギ吸収ビームにおいて、
前記第１の閉断面部における前記第２の閉断面部と対向するウェブ面部が最も前記第２の閉断面部側に近接する箇所は、前記第２の閉断面部における前記第１の閉断面部と対向するウェブ面部が最も前記第１の閉断面部側に近接する箇所と、前記荷重の入力方向において略同じ位置に配置されること
を特徴とする車両用エネルギ吸収ビーム。
【請求項３】
請求項１又は請求項２に記載の車両用エネルギ吸収ビームにおいて、
前記入力側ブリッジ部は、前記第１の閉断面部及び前記第２の閉断面部の前記ウェブ面部よりも面剛性を低くしたこと
を特徴とする車両用エネルギ吸収ビーム。
【請求項４】
請求項１から請求項３までのいずれか１項に記載の車両用エネルギ吸収ビームにおいて、
前記第１の閉断面部における前記第２の閉断面部と反対側のウェブ面部は、前記第１の閉断面部の外側に向けて凸となる凸面状に形成され、
前記第２の閉断面部における前記第１の閉断面部と反対側のウェブ面部は、前記第２の閉断面部の外側に向けて凸となる凸面状に形成されること
を特徴とする車両用エネルギ吸収ビーム。
【請求項５】
請求項４に記載の車両用エネルギ吸収ビームにおいて、
前記第１の閉断面部における前記第２の閉断面部と反対側のウェブ面部が最も前記第２の閉断面部側から離間する箇所は、前記第２の閉断面部における前記第１の閉断面部と反対側のウェブ面部が最も前記第１の閉断面部側から離間する箇所と、前記荷重の入力方向において略同じ位置に配置されること
を特徴とする車両用エネルギ吸収ビーム。
【請求項６】
請求項１から請求項５までのいずれか１項に記載の車両用エネルギ吸収ビームにおいて、
前記第１の閉断面部と、前記第２の閉断面部と、前記入力側ブリッジ部と、前記第１の閉断面部の前記支持面部及び前記第２の閉断面部の前記支持面部間を連結する支持側ブリッジ部とを一体に形成したこと
を特徴とする車両用エネルギ吸収ビーム。
【請求項７】
高さ方向の位置に応じて車幅方向の位置が変化する曲面状に形成されたドアアウタパネルと、
前記ドアアウタパネルの内面側に配置された請求項１から請求項６までのいずれか１項に記載の車両用エネルギ吸収ビームと
を備える車両用ドア構造において、
前記第１の閉断面部の前記入力面部、及び、前記第２の閉断面部の前記入力面部は、それぞれ前記ドアアウタパネルの内面側に対向し、かつ、前記ドアアウタパネルの傾斜に応じて車幅方向にオフセットして配置されること
を特徴とする車両用ドア構造。
【発明の詳細な説明】
【技術分野】
【０００１】
本発明は、例えば自動車のドアビーム等に用いられる車両用エネルギ吸収ビーム及び車両用ドア構造に関するものである。
【背景技術】
【０００２】
自動車等の車両は、側面衝突に対する安全性をより向上することが要求されている。
例えば、車両の側部に設けられるドアは、衝突時に入力されるエネルギを十分に吸収しかつ変形量を低減するため、アウタパネルとインナパネルとの間の空間部内に、前後方向にわたして中空のパイプによって形成されたエネルギ吸収ビームであるサイドインパクトビームを配置したものが知られている。
【０００３】
従来、サイドインパクトビームは、スチール等によって形成された円筒状のものが一般的であったが、強度及びエネルギ吸収性能をより向上する場合、このようなパイプビームでは本数の増加やサイズの拡大が必要となり重量が増大してしまう。
そこで、サイドインパクトビームは、比較的軽量でありかつ断面形状を成型する自由度が大きいアルミニウム合金の押出材を用いることが提案されている。
【０００４】
このようなサイドインパクトビームは、入力方向に略沿って配置される部分であるウェブ部の座屈変形を制御するため、隣接する一対のウェブの間隔が入力方向に沿って変化するようにしたもの、ウェブの表面に屈曲の抵抗部材として機能する突起を形成したものがそれぞれ知られている（例えば、特許文献１、特許文献２参照）。
【０００５】
一方、サイドインパクトビームと同様にエネルギの吸収性能が問題となる車両のバンパビームは、入力を受ける前壁部とこれに対向して配置された後壁部との間に、上下方向に間隔を隔てて配置された複数の横壁部を形成して複数の閉断面部を構成するとともに、横壁部の板厚を車両前後方向における中間部において薄くして座屈変形の安定化を図ったものが知られている（例えば、特許文献３参照）。
【特許文献１】特開２００３−１１８３６７号公報
【特許文献２】特開２００３−２５２０５６号公報
【特許文献３】特開２０００−３１８５４９号公報
【発明の開示】
【発明が解決しようとする課題】
【０００６】
上述したように複数の閉断面部を有する衝撃吸収ビームは、バンパビームに限らずサイドインパクトビーム等の車両の他の部位にも適用が可能であり、比較的軽量でありながら大きなエネルギ吸収量が得られるが、このような衝撃吸収ビームにおいて、よりいっそうエネルギ吸収性能を向上することが要望されている。
本発明の課題は、エネルギ吸収性能を向上した車両用エネルギ吸収ビーム及び車両用ドア構造を提供することである。
【課題を解決するための手段】
【０００７】
本発明は、以下のような解決手段により、上述した課題を解決する。
請求項１の発明は、衝突に起因する荷重が入力される入力面部と、前記入力面部と前記荷重の入力方向に間隔を隔てて対向して配置される支持面部と、前記入力面部と前記支持面部との間にわたして設けられ、相互に離間して配置された複数のウェブ面部とをそれぞれ有し、前記荷重の入力方向と略直交する方向に離間して配置された第１の閉断面部及び第２の閉断面部と、前記第１の閉断面部における前記入力面部の前記第２の閉断面部側の端部と、前記第２の閉断面部における前記入力面部の前記第１の閉断面部側の端部とを接続する入力側ブリッジ部とを備える車両用エネルギ吸収ビームにおいて、前記第１の閉断面部における前記第２の閉断面部と対向するウェブ面部は、前記第２の閉断面部側に向けて凸となる凸面状に形成され、前記第２の閉断面部における前記第１の閉断面部と対向するウェブ面部は、前記第１の閉断面部側に向けて凸となる凸面状に形成されることを特徴とする車両用エネルギ吸収ビームである。
【０００８】
請求項２の発明は、請求項１に記載の車両用エネルギ吸収ビームにおいて、前記第１の閉断面部における前記第２の閉断面部と対向するウェブ面部が最も前記第２の閉断面部側に近接する箇所は、前記第２の閉断面部における前記第１の閉断面部と対向するウェブ面部が最も前記第１の閉断面部側に近接する箇所と、前記荷重の入力方向において略同じ位置に配置されることを特徴とする車両用エネルギ吸収ビームである。
請求項３の発明は、請求項１又は請求項２に記載の車両用エネルギ吸収ビームにおいて、前記入力側ブリッジ部は、前記第１の閉断面部及び前記第２の閉断面部の前記ウェブ面部よりも面剛性を低くしたことを特徴とする車両用エネルギ吸収ビームである。
【００１０】
請求項４の発明は、請求項１から請求項３までのいずれか１項に記載の車両用エネルギ吸収ビームにおいて、前記第１の閉断面部における前記第２の閉断面部と反対側のウェブ面部は、前記第１の閉断面部の外側に向けて凸となる凸面状に形成され、前記第２の閉断面部における前記第１の閉断面部と反対側のウェブ面部は、前記第２の閉断面部の外側に向けて凸となる凸面状に形成されることを特徴とする車両用エネルギ吸収ビームである。
請求項５の発明は、請求項４に記載の車両用エネルギ吸収ビームにおいて、前記第１の閉断面部における前記第２の閉断面部と反対側のウェブ面部が最も前記第２の閉断面部側から離間する箇所は、前記第２の閉断面部における前記第１の閉断面部と反対側のウェブ面部が最も前記第１の閉断面部から離間する箇所と、前記荷重の入力方向において略同じ位置に配置されることを特徴とする車両用エネルギ吸収ビームである。
請求項６の発明は、請求項１から請求項５までのいずれか１項に記載の車両用エネルギ吸収ビームにおいて、前記第１の閉断面部と、前記第２の閉断面部と、前記入力側ブリッジ部と、前記第１の閉断面部の前記支持面部及び前記第２の閉断面部の前記支持面部間を連結する支持側ブリッジ部とを一体に形成したことを特徴とする車両用エネルギ吸収ビームである。
【００１１】
請求項７の発明は、高さ方向の位置に応じて車幅方向の位置が変化する曲面状に形成されたドアアウタパネルと、前記ドアパネルの内面側に配置された請求項１から請求項６までのいずれか１項に記載の車両用エネルギ吸収ビームとを備える車両用ドア構造において、前記第１の閉断面部の前記入力面部、及び、前記第２の閉断面部の前記入力面部は、それぞれ前記ドアアウタパネルの内面側に対向し、かつ、前記ドアアウタパネルの傾斜に応じて車幅方向にオフセットして配置されることを特徴とする車両用ドア構造である。
【発明の効果】
【００１２】
本発明によれば、以下の効果を奏することができる。
（１）第１の閉断面部、第２の閉断面部の相互に対向するウェブ面部を、他方の閉断面部側に凸となる凸面状に形成することによって、これらのウェブ面部の圧縮荷重による変形は、入力方向における中間部が相互に近接する変形モードとなる。そして、これらのウェブ面部が相互に当接して干渉することによって、エネルギ吸収ビームの変形に対する抗力を増大することができ、エネルギ吸収性能を向上することができる。
（２）第１の閉断面部、第２の閉断面部の相互に対向するウェブ面部が他方の閉断面部側に最も近づく箇所を、荷重の入力方向において略同じ位置に配置することによって、これらのウェブ面部どうしを確実に当接させることができ、上述したエネルギ吸収性能の向上をより確実にすることができる。
（３）面剛性をウェブ面部よりも低くした入力側ブリッジ部を設けることによって、第１の閉断面部、第２の閉断面部を連結してこれらが独立して制御困難な変形をすることを防止することができ、かつ適度に変形することによって第１の閉断面部、第２の閉断面部の潰れ変形に対して過度に干渉することがなく、これらの変形をコントロールしてエネルギ吸収ビームのエネルギ吸収性能を確保することができる。
（４）第１の閉断面部、第２の閉断面部の他の閉断面部と反対側のウェブ面部を、それが含まれる閉断面部の外側に凸となる凸面状に形成することによって、これらのウェブ面部は同じ閉断面部に含まれる他のウェブ面部とは反対側の方向に変形する。これによって、各閉断面部に含まれるウェブ面部どうしが干渉することを防止し、これらが相互に開くように変形することによって、エネルギ吸収性能をより向上することができる。
（５）エネルギ吸収ビームを一体に形成することによって、部品点数を低減し構造及び組立工程を簡素化することができる。
（６）第１の閉断面部、第２の閉断面部の入力面部を、ドアアウタパネルの傾斜に応じて車幅方向にオフセットすることによって、エネルギ吸収ビームをドアアウタパネルに沿った形状としてデッドスペースを低減し、エネルギ吸収性能を向上することができる。
【発明を実施するための最良の形態】
【００１３】
本発明は、エネルギ吸収性能を向上した車両用エネルギ吸収ビーム等を提供するという目的を、上側閉断面部の下面部及び下側閉断面部の上面部を、それぞれ他方のウェブ面部側に凸となるように屈曲して形成すること、及び、上下の閉断面部の入力面部間にわたして設けられる入力側ブリッジ部を、上下の閉断面部の上面部及び下面部よりも肉薄に形成することによって達成する。
【実施例】
【００１４】
以下、本発明を適用した車両用エネルギ吸収ビーム及び車両用ドア構造の実施例について説明する。
図１は、本実施例の車両用エネルギ吸収ビーム及び車両用ドア構造を備えた車両の側面図である。図２は、図１のII−II部矢視断面図である。図３は、図１のIII−III部矢視断面図である。
車両１は、例えばセダン型の乗用車であって、フロントドア開口１０、フロントドア２０、パイプビーム３０、アッパビーム４０、メインビーム１００を備えている。
【００１５】
フロントドア開口１０は、車体の側面部に形成され、フロントドア２０が開閉可能に装着されて搭乗員の乗降に用いられるものである。
フロントドア開口１０は、フロントピラー１１、センターピラー１２、サイドシル１３、ルーフ１４に囲まれて形成されている。
【００１６】
フロントピラー１１は、車両１のフロントホイールハウスの後方に設けられ、フロントドア２０の前端部を回転可能に支持する図示しないヒンジが設けられる部分から、その上方に延在し、ドアガラスの前縁部と隣接するいわゆるＡピラー部までを含む車体の構造部分である。
センターピラー（Ｂピラー）１２は、ドア２０の後端部に設けられ、サイドシル１３とルーフ１４とにわたして設けられている。センターピラー１２は、ドア２０後端部の図示しないラッチ部が係合される図示しないストライカ部と、リアドアの前端部を回転可能に支持する図示しないヒンジ部が設けられている。
【００１７】
サイドシル１３は、図示しないフロアパネルの車幅方向における両端部であって、フロントドア２０及びリアドアの下端部に沿って車両１の前後方向に延在する部分である。
ルーフ１４は、フロントピラー１１及びセンターピラー１２の上端部がそれぞれ接続されている。
【００１８】
フロントドア２０は、図２に示すように、アウタパネル２１、インナパネル２２を備えている。
アウタパネル２１は、車両１の外表面部の一部を構成するフロントドア２０の表皮部である。
インナパネル２２は、アウタパネル２１の車室内側に配置される部材であって、アウタパネル２１に対してその前端縁部、後端縁部、下端縁部どうしをそれぞれ接合されている。
アウタパネル２１及びインナパネル２２は、例えば鋼板等の金属薄板をプレス加工して形成されている。
【００１９】
パイプビーム３０、アッパビーム４０、メインビーム１００は、図１に示すように、それぞれフロントドア２０の前端部と後端部との間にわたして設けられた梁状の部材であって、側面衝突時にフロントドア２０のアウタパネル２１側から負荷される入力を受けてエネルギを吸収するとともに、フロントドア２０の変形を抑制して搭乗者を保護するエネルギ吸収ビーム（サイドインパクトビーム）である。
これらは、フロントドア２０の前端部及び後端部においてインナパネル２２に固定されている。また、このような領域においては、インナパネル２２は、図示しないリンホースメント部材によってその補剛が図られている。
【００２０】
パイプビーム３０は、フロントドア２０の窓肩部と下端部との間の略中央部に配置され、図２に示すように、中空の丸パイプによって形成されている。
アッパビーム４０は、パイプビーム３０の上側に間隔を隔てて配置されている。アッパビーム４０は、図２に示すように、入力面部４１、支持面部４２、上面部４３、下面部４４を備え、車幅方向に切って見た横断面が閉断面となっている。
【００２１】
入力面部４１は、アウタパネル２１の内面（車幅方向内側の面）に対向して配置された面部であって、アウタパネル２１側が凸となるように屈曲させて凸面状に形成されている。
支持面部４２は、入力面部４１の車幅方向内側の面と間隔を隔てて対向して配置され、インナパネル２２に対して固定されるものである。
【００２２】
上面部４３は、入力面部４１、支持面部４２の上端部間にわたして設けられ、上側が凸となるように屈曲させて凸面状に形成されている。
下面部４４は、入力面部４１、支持面部４２の下端部間にわたして設けられ、下側が凸となるように屈曲させて凸面状に形成されている。
上面部４３、下面部４４は、車両１の側面衝突によって入力面部４１が車幅方向内側に押圧された際に、座屈変形することによって衝突エネルギを吸収するウェブ面部である。上面部４３、下面部４４は、上述したように屈曲させて形成されていることから、その車幅方向における中間部分が相互に離間する方向に座屈するようになっている。
上述したアッパビーム４０は、例えばアルミニウム合金の押出加工によって一体に形成されている。
【００２３】
メインビーム１００は、図２に示すように、パイプビーム３０の下側に間隔を隔てて配置されている。メインビーム１００は、例えば、側面衝突試験に用いられるバリアＢの先端面部と対向する高さに設けられ、このようなバリアＢの先端面部の高さは、例えば衝突が想定される他の一般的な車両のフロントバンパ、メインフレーム等の高さを考慮して設定されている。
また、メインビーム１００は、図３に示すように、上側閉断面部１１０、下側閉断面部１２０、入力側ブリッジ部１３０、支持側ブリッジ部１４０を備え、これらは例えばアルミニウム合金の押出加工によって一体に形成されている。
【００２４】
上側閉断面部１１０は、入力面部１１１、支持面部１１２、上面部１１３、下面部１１４を備え、車幅方向に切って見た横断面が閉断面となっている。
入力面部１１１は、アウタパネル２１の内面に対向して配置された面部であって、アウタパネル２１側が凸となるように、その上下方向における略中央部に設けられた変曲点１１１ａにおいて屈曲させて凸面状に形成されている。
ここで、アウタパネル２１は、図２に示すように、メインビーム１００と対向する範囲においては、車幅方向における位置がその下側ほど車体中央側となるように傾斜して配置されている。
【００２５】
支持面部１１２は、入力面部１１１の車幅方向内側の面と間隔を隔てて対向して配置されている。また、支持面部１１２は、メインビーム１００の前端部及び後端部において、インナパネル２２に対してボルト１１２ａによって固定される。支持面部１１２ａは、上側閉断面部１１０の内部側の面部に、ボルト１１２ａとネジ結合されるナット１１２ｂが設けられている。
【００２６】
上面部１１３は、入力面部１１１、支持面部１１２の上端部間にわたして設けられ、上側が凸となるように、その車幅方向（荷重入力方向）の中間部に設けられた変曲点１１３ａにおいて屈曲させて凸面状に形成されている。ここで、変曲点１１３ａは、上面部１１３が最も上方側に張り出した範囲内に設けられる。
下面部１１４は、入力面部１１１、支持面部１１２の下端部間にわたして設けられ、下側（下側閉断面部１２０側）が凸となるように、その車幅方向の中間部に設けられた変曲点１１４ａにおいて屈曲させて凸面状に形成されている。ここで、変曲点１１４ａは、下面部１１４が最も下方側に張り出した範囲内に設けられる。
また、上面部１１３、下面部１１４の変曲点１１３ａ，１１４ａをそれぞれ挟んだ両側の領域は、略平面状に形成されている。
【００２７】
下側閉断面部１２０は、上側閉断面部１１０の下側に間隔を隔てて配置され、入力面部１２１、支持面部１２２、上面部１２３、下面部１２４を備え、車幅方向に切って見た横断面が閉断面となっている。
入力面部１２１は、アウタパネル２１の内面に対向して配置された面部であって、アウタパネル２１と対向する面は略平面状に形成されている。
支持面部１２２は、入力面部１２１の車幅方向内側の面と間隔を隔てて対向して配置されている。また、支持面部１２２は、支持面部１１２と同様にしてメインビーム１００の前端部及び後端部においてインナパネル２２に固定され、この固定に用いられるボルト１１２ａ、ナット１１２ｂが設けられている。
【００２８】
上面部１２３は、入力面部１２１、支持面部１２２の上端部間にわたして設けられ、上側（上側閉断面部１１０側）が凸となるように、その車幅方向の中間部に設けられた変曲点１２３ａにおいて屈曲させて凸面上に形成されている。ここで、変曲点１２３ａは、上面部１２３が最も上方側に張り出した範囲内に設けられる。
下面部１２４は、入力面部１２１、支持面部１２２の下端部間にわたして設けられ、下側が凸となるように、その車幅方向の中間部に設けられた変曲点１２４ａにおいて屈曲させて凸面状に形成されている。ここで、変曲点１２４ａは、下面部１２４が最も下方側に張り出した範囲内に設けられる。
また、上面部１２３、下面部１２４の変曲点１２３ａ、１２４ａをそれぞれ挟んだ両側の領域は略平面状に形成されている。
【００２９】
ここで、上述した上側閉断面部１１０の上面部１１３、下面部１１４、及び、下側閉断面部１２０の上面部１２３、下面部１２４は、側面衝突によってメインビーム１００が変形する際に屈曲し、座屈変形してエネルギを吸収するウェブ面部として機能するものであり、これらの各面部の変曲点１１３ａ，１１４ａ，１２３ａ，１２４ａは、衝突時の荷重の入力方向において略一致した位置に配置されている。
【００３０】
入力側ブリッジ部１３０は、上側閉断面部１１０の入力面部１１１の下端部と、下側閉断面部１２０の入力面部１２１の上端部との間にわたして設けられ、これらを連結する平板状の部分である。
入力側ブリッジ部１３０は、その板厚が上側閉断面部１１０の上面部１１３及び下面部１１４、下側閉断面部１２０の上面部１２３及び下面部１２４よりも小さく形成され、これによってこれらの各面部よりも曲げ剛性が小さくなっている。
【００３１】
ここで、上側閉断面部１１０の入力面部１１１の変曲点１１１ａよりも下側の領域、入力側ブリッジ部１３０、下側閉断面部１２０の入力面部１２１は、そのアウタパネル２１と対向する側の面が連続した平面として形成され、この平面は、上端部が下端部よりも車幅方向外側にオフセットするように傾斜して配置され、隣接するアウタパネル２１の内面に対して略平行に対向するようになっている。
【００３２】
支持側ブリッジ部１４０は、上側閉断面部１１０の支持面部１１２の下端部と、下側閉断面部１２０の支持面部１２２の上端部との間にわたして設けられ、これらを連結する平板状の部分である。
上側閉断面部１１０の支持面部１１２、支持側ブリッジ部１４０、下側閉断面部１２０の支持面部１２２は、略同じ板厚を有しかつ連続した平板状に形成され、この板厚は上述した入力側ブリッジ部１３０よりも大きく設定されている。
【００３３】
以下、上述したメインビーム１００の側面衝突時における変形について説明する。
図４は、メインビーム１００を車幅方向に切って見た状態を示す横断面図であって、側面衝突による変形後の状態を示す図である。
アウタパネル２１は、例えばバリアＢの先端面部（試験の場合）又は他の車両のフロントバンパ等によって押圧され、変形しながら車幅方向内側へ変位し、メインビーム１００の上側閉断面部１１０の入力面部１１１、入力側ブリッジ部１３０、下側閉断面部１２０の入力面部１２１を加圧する。
【００３４】
上述した加圧力によって、上側閉断面部１１０の上面部１１３、下面部１１４、及び、下側閉断面部１２０の上面部１２３、下面部１２４にはそれぞれ車幅方向の圧縮荷重が作用し、これらの圧縮荷重によって、各面部はそれぞれの変曲点における曲げ角度が大きくなるように座屈（バックリング）変形することによって入力されたエネルギを吸収する。
このとき、上側閉断面部１１０及び下側閉断面部１２０の上面部１１３，１２３の変曲点１１３ａ，１２３ａはそれぞれ上側に変位し、下面部１１４，１２４の変曲点１１４ａ，１２４ａはそれぞれ下側に変位する。
【００３５】
上述した変形がある程度以上大きくなると、上側閉断面部１１０の下面部１１４及び下側閉断面部１２０の上面部１２３は、当接して相互に押圧する状態となる。このような当接は、先ず各面部が最も他の面部側に張り出した変曲点１１４ａ，１２３ａの近傍において発生し、その後変形がさらに大きくなるとその周辺の領域に拡大する。
【００３６】
以上のように、本実施例によれば、以下の効果を奏することができる。
（１）相互に対向する上側閉断面部１１０の下面部１１４及び下側閉断面部１２０の上面部１２３を、他方の閉断面部側に凸となる凸面状に形成することによって、これらの面部の車幅方向の圧縮荷重による座屈変形は、それぞれの変曲点１１４ａ，１２３ａ付近の領域が相互に近接する変形モードとなり、これらの領域が相互に当接して干渉することによって、各面部をさらに変形させるのに必要な入力が増してメインビーム１００の変形抗力が増大し、そのエネルギ吸収性能を向上することができる。
（２）上側閉断面部１１０の下面部１１４、下側閉断面部１２０の上面部１２３が他方の閉断面部側に最も近接する箇所である変曲点１１４ａ，１２３ａを、荷重の入力方向において略同じ位置に配置することによって、これらの変曲点１１４ａ，１２３ａ近傍の領域どうしを確実に当接させることができ、上述したエネルギ吸収性能の向上をより確実にすることができる。
（３）上側閉断面部１１０の入力面部１１１と下側閉断面部１２０の入力面部１２１とを接続する入力側ブリッジ部１３０を設けることによって、例えば各閉断面部が独立して離間する方向に倒れ込むように変形する等、制御困難な変形を防止して両方の閉断面部の変形モードを規制することができる。
また、入力側ブリッジ部１３０の板厚をウェブ面部として機能する各面部よりも薄くしてその面剛性を下げ、適度に変形するようにすることによって、図４に示すように、上側閉断面部１１０の下面部１１４が入力面部１１１に対して倒れ込むモーメントＭ１、下側閉断面部１２０の上面部１２３が入力面部１２１に対して倒れ込むモーメントＭ２を妨げにくく、各閉断面部１１０，１２０の変形に過度に干渉することがないから、これらの変形をコントロールしてメインビーム１００のエネルギ吸収性能を確保することができる。
（４）上側閉断面部１１０の上面部１１３を上側に凸となる凸面とし、下側閉断面部１２０の下面部１２４を下側に凸となる凸面としたから、これらは変形時にその変曲点１１３ａ，１２４ａ近傍の領域がそれぞれ上側及び下側に変位する。これによって、同じ閉断面部内においてその上面部と下面部とが干渉することを防止して、エネルギ吸収性能をより向上することができる。
（５）メインビーム１００はアルミニウム合金の押出加工等によって一体に形成されているから、部品点数を低減し構造及び組立工程を簡素化することができる。
（６）上側閉断面部１１０の入力面部１１１の下側の領域、入力側ブリッジ部１３０、下側閉断面部１２０の入力面部１２１を、アウタパネル２１の傾斜に対応して、下側が車幅方向内側にオフセットされるように傾斜して配置したから、フロントドア２０内のデッドスペースを低減し、エネルギ吸収性能を向上することができる。
【００３７】
（変形例）
本発明は、以上説明した実施例に限定されることなく、種々の変形や変更が可能であって、それらも本発明の技術的範囲内である。
（１）実施例のエネルギ吸収ビームは、例えばフロントドア内に配置されるサイドインパクトビームであったが、本発明はこれに限らず、例えばリアドアのサイドインパクトビームや、車両の前端部に設けられるフロントバンパ内に配置されるバンパビーム等の他の用途にも適用することができる。
（２）実施例のウェブ面部は、平板を屈曲点において折り曲げることによって凸面状に形成しているが、これに限らず、例えばウェブ面部の所定の範囲を曲面状に形成してもよい。
（３）実施例のエネルギ吸収ビームは、アルミニウム合金の押出加工によって一体に形成されているが、これに限らず、複数の部材を接合して形成するようにしてもよい。
（４）実施例のエネルギ吸収ビームは、例えば２つの閉断面部を上下方向に配列したものであるが、本発明はこれに限らず、３つ以上の閉断面部を配列した構成としてもよく、また、配列方向も想定される入力方向に応じて適宜変更することができる。
【図面の簡単な説明】
【００３８】
【図１】本発明を適用した車両用エネルギ吸収ビーム及び車両用ドア構造の実施例を備えた車両の側面図である。
【図２】図１のII−II部矢視断面図である。
【図３】図１のIII−III部矢視断面図である。
【図４】図３に示すメインビームの衝突後の状態を示す図である。
【符号の説明】
【００３９】
１    車両
２０    フロントドア
２１    アウタパネル
２２    インナパネル
１００    メインビーム
１１０    上側閉断面部
１２０    下側閉断面部
１３０    入力側ブリッジ部
１４０    支持側ブリッジ部
【図１】
0004834353.tif 000002
【図２】
0004834353.tif 000003
【図３】
0004834353.tif 000004
【図４】
0004834353.tif 000005